(57)【要約】【課題】  パッド方式の操作面のいずれの場所であっても、スクロール操作に使用することができる入力装置を提供することを目的とする。【解決手段】  スクロールモードが設定されると、操作面２０ａが複数の検出領域に区分される。最初に指を触れた位置を基準検出領域Ｔ０として認識し、指がその位置からいずれかの方向へ移動すると、この移動が検出され、画面に表示されている情報をスクロールさせる。スクロールモードを設定していると、操作面２０ａのどの領域に指を触れてもスクロール動作を行うことができる。【選択図】図３
2006163553.tif 000002
【特許請求の範囲】
【請求項１】
所定の面積の操作面を有し、前記操作面での接触位置を検出する検出手段と、前記検出手段で検出された位置検出信号に基づいて画面上での表示情報を移動させる操作信号を生成するデータ処理部とが設けられた入力装置において、
前記データ処理部では、
（ａ）所定の操作が行われたときにスクロールモードを設定する処理と、
（ｂ）前記スクロールモードが設定されたときに、前記操作面を画面の縦横方向に対応する方向に配列する検出領域に区分して認識する処理と、
（ｃ）接触が検出された前記検出領域を基準検出領域として認識する処理と、
（ｄ）前記接触位置が前記基準検出領域から横右側の検出領域に移動したと認識したときに、画面上の表示情報を右方向へスクロールする操作信号を出力し、前記接触位置が前記基準検出領域から横左側の検出領域に移動したと認識したときに、画面上の表示情報を左方向へスクロールする操作信号を出力する処理と、
を行うことを特徴とする入力装置。
【請求項２】
前記（ｄ）の処理に代えて、
（ｅ）前記接触位置が前記基準検出領域から縦上側の検出領域に移動したと認識したときに、画面上の表示情報を上方向へスクロールする操作信号を出力し、前記接触位置が前記基準検出領域から縦下側の検出領域に移動したと認識したときに、画面上の表示情報を下方向へスクロールする操作信号を出力する処理、
を行う請求項１記載の入力装置。
【請求項３】
前記（ｄ）の処理に代えて、
（ｆ）前記接触位置が前記基準検出領域から斜め上側の検出領域に移動したと認識したときに、画面上の表示情報を斜め上方向へスクロールする操作信号を出力し、前記接触位置が前記基準検出領域から斜め下側の検出領域に移動したと認識したときに、画面上の表示情報を斜め下方向へスクロールする操作信号を出力する処理、
を行う請求項１記載の入力装置。
【請求項４】
前記接触位置が、前記基準検出領域から、この基準検出領域に隣接する検出領域に移行したときに、この隣接する検出領域を新たな基準検出領域とし、さらに前記接触位置が前記新たな基準検出領域から次の前記隣接する検出領域に移動したか否かを検出し、前記検出が行われている間に、画面上の表示情報のスクロールを継続する信号が出力される請求項１ないし３のいずれかに記載の入力装置。
【請求項５】
前記接触位置が、前記基準検出領域から、この基準検出領域に隣接する検出領域に移行したときに、この隣接する検出領域での接触が継続して検出されている間に、画面上の表示情報のスクロールを継続する信号が出力され続ける請求項１ないし３のいずれかに記載の入力装置。
【請求項６】
前記接触位置が、前記基準検出領域から、他の検出領域に移行する際に、その時点での前記他の検出領域と前記基準検出領域との距離に応じて、画面上の表示情報をスクロールする速度を変化させる信号が出力される請求項１ないし３のいずれかに記載の入力装置。
【発明の詳細な説明】
【技術分野】
【０００１】
本発明は、座標入力を可能にする検出手段を有する入力装置に係り、特に、画面の表示情報のスクロール操作を可能とした入力装置に関する。
【背景技術】
【０００２】
パーソナルコンピュータにおいて、画面に表示されている文字列や画像などの情報を横方向または上下方向にスクロールする操作は、従来、マウスと呼ばれる外部入力装置に設けられた回転スイッチを用いて行われているのが一般的である。
【０００３】
一方、パーソナルコンピュータに組み込まれている平面的なパッド方式の検出手段を用いたスクロール操作として、下記の特許文献１に記載のものがある。
【０００４】
下記特許文献１には、特定の操作によって、パッド方式の検出手段の操作面のうちの右端部または下端部をスクロール操作領域として設定する発明が開示されている。この発明では、操作面の前記右端部に指を触れて上下にスライドさせると、画面に表示された情報が上下にスクロールし、前記下端部に指を触れて左右にスライドさせると、画面に表示された情報が横方向へスクロールする。
【特許文献１】特開平１０−１４９２５４号公報
【発明の開示】
【発明が解決しようとする課題】
【０００５】
前記特許文献１に記載の発明では、パッド方式の操作面の右端部や下端部のいずれかの領域をスクロール操作領域として設定しておくものであり、画面に文字列や画像などのようにスクロール表示可能な情報が表示されている状態では、前記スクロール操作領域に指を触れてスライドさせると、文字列などが必ずスライドする。一方、スライド操作以外の操作を行うときには、操作面のうちの前記スクロール操作領域以外の部分を使用することが必要になる。
【０００６】
上記のように、操作面を、スクロール操作領域とそれ以外の操作領域とに区分しているため、スクロール操作以外の操作を行う領域が狭められることになる。また、画面に表示されている情報をスクロールするときには、指を操作面の右端部や下端部の限られた領域を操作することが必要であり、スクロール操作をしづらいといった問題がある。
【０００７】
本発明は上記従来の課題を解決するものであり、パッド方式の操作面のいずれの場所であっても、スクロール操作に使用することができる入力装置を提供することを目的としている。
【課題を解決するための手段】
【０００８】
本発明は、所定の面積の操作面を有し、前記操作面での接触位置を検出する検出手段と、前記検出手段で検出された位置検出信号に基づいて画面上での表示情報を移動させる操作信号を生成するデータ処理部とが設けられた入力装置において、
前記データ処理部では、
（ａ）所定の操作が行われたときにスクロールモードを設定する処理と、
（ｂ）前記スクロールモードが設定されたときに、前記操作面を画面の縦横方向に対応する方向に配列する検出領域に区分して認識する処理と、
（ｃ）接触が検出された前記検出領域を基準検出領域として認識する処理と、
（ｄ）前記接触位置が前記基準検出領域から横右側の検出領域に移動したと認識したときに、画面上の表示情報を右方向へスクロールする操作信号を出力し、前記接触位置が前記基準検出領域から横左側の検出領域に移動したと認識したときに、画面上の表示情報を左方向へスクロールする操作信号を出力する処理と、
を行うことを特徴とするものである。
【０００９】
あるいは、前記（ｄ）の処理に代えて、
（ｅ）前記接触位置が前記基準検出領域から縦上側の検出領域に移動したと認識したときに、画面上の表示情報を上方向へスクロールする操作信号を出力し、前記接触位置が前記基準検出領域から縦下側の検出領域に移動したと認識したときに、画面上の表示情報を下方向へスクロールする操作信号を出力する処理、
を行うもの、
または、前記（ｄ）の処理に代えて、
（ｆ）前記接触位置が前記基準検出領域から斜め上側の検出領域に移動したと認識したときに、画面上の表示情報を斜め上方向へスクロールする操作信号を出力し、前記接触位置が前記基準検出領域から斜め下側の検出領域に移動したと認識したときに、画面上の表示情報を斜め下方向へスクロールする操作信号を出力する処理、
を行うものである。
【００１０】
上記本発明では、所定の設定を行った状態で、操作面の全域をスクロール操作領域として使用できるため、従来のように、スクロール操作の際に、指を操作面の右端部や下端部に移動させる必要がない。また所定の操作でスクロール操作の設定ができ、前記操作を行わないときには、操作面全域をスクロール操作以外の操作として使用することが可能になる。
【００１１】
本発明では、前記接触位置が、前記基準検出領域から、この基準検出領域に隣接する検出領域に移行したときに、この隣接する検出領域を新たな基準検出領域とし、さらに前記接触位置が前記新たな基準検出領域から次の前記隣接する検出領域に移動したか否かを検出し、前記検出が行われている間に、画面上の表示情報のスクロールを継続する信号が出力されるように設定できる。
【００１２】
この設定では、操作面において指などをスライドさせる時間に対応して、画面の表示情報がスクロールするようになる。
【００１３】
または、前記接触位置が、前記基準検出領域から、この基準検出領域に隣接する検出領域に移行したときに、この隣接する検出領域での接触が継続して検出されている間に、画面上の表示情報のスクロールを継続する信号が出力され続けるものであってもよい。
【００１４】
上記設定では、指などを、基準検出領域と隣接する検出領域へ移動させて、その特定の隣接する検出領域に接触させ続けている状態で、スクロールが継続するようになる。
【００１５】
また、本発明では、前記接触位置が、前記基準検出領域から、他の検出領域に移行する際に、その時点での前記他の検出領域と前記基準検出領域との距離に応じて、画面上の表示情報をスクロールする速度を変化させる信号が出力されるものにできる。
【００１６】
上記設定では、指などのスライド位置を変化させることにより、画面に表示された情報のスクロール速度を変化させることができる。
【発明の効果】
【００１７】
本発明の入力装置では、操作面の任意の位置に指などを触れることで、画面に表示された情報をスクロールさせることができ、スクロール操作の操作性を向上できる。
【発明を実施するための最良の形態】
【００１８】
図１は本発明の入力装置が搭載されたノート型パーソナルコンピュータを示す斜視図、図２は入力装置の回路ブロック図、図３は操作面での検出領域の区分の一例を示す平面図、図４は図３の検出領域の区分を示す操作面の部分拡大図、図５は画面の表示情報のスクロール動作を示す説明図、図６はスクロール処理の一例を示すフローチャートである。
【００１９】
図１に示すノート型パーソナルコンピュータ１００は、本体部１０１と表示筐体１０２を有している。本体部１０１には、操作装置としてキーボード装置１０３が搭載されている。また、本体部１０１には、本発明の検出手段であるパッド型入力装置２０と、パッド型入力装置２０に近接して設けられた右押し釦１０４と左押し釦１０５とが設けられている。
【００２０】
キーボード装置１０３は、複数に配列したキーおよび各キーの操作を検出するキーボードスイッチを有しており、キーボードスイッチの操作信号は、図示しない処理回路を経て、図２に示す本体制御部３０の制御部１５に与えられる。
【００２１】
パッド型入力装置２０は四角形状の操作面２０ａを有しており、操作面２０ａの下に、図２に示すセンサ基板１が設けられている。センサ基板１は、互いに平行で縦方向に一定のピッチで配列するｘ電極１ｘと、互いに平行で横方向に一定のピッチで配列するｙ電極１ｙとを有しており、ｘ電極１ｘとｙ電極１ｙとが、所定の静電容量を有する誘電体を介して対向している。ｘ電極１ｘには、縦方向走査部３を介して制御駆動部４から順に電荷が与えられ、ｙ電極１ｙには、横方向走査部２を介して制御駆動部４から順に電荷が与えられる。
【００２２】
操作面２０ａにはセンサ基板１を覆う保護層が設けられており、人の指などのような導電体がセンサ基板１上のいずれかの個所に触れると、触れた位置においてｘ電極１ｘとｙ電極１ｙとの間の静電容量が変化する。静電容量の変化による検出値はＡ／Ｄ変換部５においてディジタル値に変換されてタップ／スライド成分抽出部６に与えられ、タップ／スライド成分抽出部６において、センサ基板１への指の接触状態がタップ操作であるかスライド操作であるかが検出される。さらにタップ位置およびスライド位置がＸ−Ｙの座標情報としてデータ処理部７に与えられる。
【００２３】
ここで、タップ操作とは、操作面２０ａの所定位置において、指などが触れられてから所定時間以内に指などが離れたときの操作を意味し、タップ／スライド成分抽出部６ではそのときの接触位置と静電容量の変化が検出される。スライド操作とは、操作面２０ａの所定の位置を指で触れた状態でその指が操作面２０ａ上を移動する操作を意味し、タップ／スライド成分抽出部６では、そのときの接触位置の座標変化が検出される。
【００２４】
データ処理部７は、センサ基板１などとともにパッド型入力装置２０としてユニットに組み込まれた制御回路およびこの制御回路での動作ソフトウエアである。そして、ノート型パーソナルコンピュータ１００の本体部１０１内の本体制御部３０に組み込まれたドライバーと称されるソフトウエアプログラムの制御動作によって処理動作が実行される。
【００２５】
データ処理部７で生成された操作信号は、インターフェイス部８からインターフェイス部１０を介して本体制御部３０のデータ解析部１２によって解析されて制御部１５に与えられる。そして、制御部１５の制御動作によって表示部１６が表示駆動される。この表示部１６は、カラー液晶表示装置などである。また、制御部１５の制御動作によって音源１９が制御され、スピーカから外部に発音される。また、制御部１５にはＲＯＭ１７とＲＡＭ１８が接続されている。制御部１５で実行するプログラムはＲＡＭ１８などに記憶される。
【００２６】
なお、図１に示す右押し釦１０４と左押し釦１０５はそれぞれ右スイッチと左スイッチに連動している。この右スイッチの検出信号と左スイッチの検出信号は、図２に示すパッド型入力装置２０のデータ処理部７に与えられる。これらスイッチの押圧信号は、データ処理部７で生成される操作信号のフォーマット内に含まれて本体制御部３０に与えられる。
【００２７】
次に、パッド型入力装置２０の動作を説明する。
所定の操作が行われずにスクロールモードが設定されていないときには、スクロールモード以外の通常の処理モードが実行される。
【００２８】
通常の処理モードでは、操作面２０ａに接触した指をスライドさせることにより、データ処理部７から指のスライド方向およびスライド量を示す操作信号がＸ−Ｙ座標信号として本体制御部３０に与えられる。本体制御部３０では、前記操作信号がデータ解析部１２で解析されて制御部１５に与えられる。そして、制御部１５の制御動作によって、表示部１６の画面に表示されたカーソルが指のスライド方向に沿って移動するなどの処理が行われる。また、表示部１６の画面に表示されたカーソルがいずれかのアイコンの上などに位置している状態で、操作面２０ａをタップ操作すると、そのタップ操作信号がデータ処理部７から本体制御部３０に与えられ、例えば制御部１５では、タップ操作した個所のアイコンに関連する処理動作が実行される。
【００２９】
パッド型入力装置２０では、所定の操作を行ってスクロールモードが設定されると、その設定を解除しない限りは、操作面２０ａの全面が、または所定の処理用の専用領域として設定されている領域を除くほとんど全面の領域が、スクロール操作用として使用される。図６のフローチャートでは、スクロールモードの設定をＳ１（ステップ１）で示している。このフローチャートに示す処理動作は、データ処理部７において実行される。
【００３０】
図６のＳ１の処理においてスクロールモードを設定する所定の操作とは、例えば以下のいずれかである。
【００３１】
（１）パッド型入力装置２０の操作面２０ａの所定の領域をタップ操作またはダブルタップ操作（タップを短時間内に２回繰り返す操作）することでスクロールモードに設定される。この場合の所定の領域とは、予め設定されて割り振られている領域であり、例えば操作面２０ａの１つの隅などである。
【００３２】
（２）キーボード装置１０３のいずれかのキーを押すことによりスクロールモードが設定される。この場合に押すべきキーは、単一のキーまたは複数のキーの組み合わせである。あるいは、キーボード装置１０３のいずれかのキーを押し続けることでスクロールモードに設定される。すなわち、いずれかのキーを押し続けながら操作面２０ａに接触させた指をスライドさせ、そのスライド操作によりスクロールの操作信号が生成される。
【００３３】
（３）右押し釦１０４または左押し釦１０５を押すことによりスクロールモードが設定される。あるいは、右押し釦１０４または左押し釦１０５のいずれかを押し続けることでスクロールモードに設定される。すなわち、いずれかの押し釦を押し続けながら操作面２０ａに接触させた指をスライドさせ、そのスライド操作によりスクロールの操作信号が生成される。または、右押し釦１０４と左押し釦１０５を同時に押すことにより、あるいは、右押し釦１０４と左押し釦１０５を同時に所定の時間の間だけ押し続けることでスクロールモードに設定される。
【００３４】
さらに、右押し釦１０４と左押し釦１０５のうちのどちらか一方の押し釦と、キーボード装置１０３のいずれかのキーを同時に押すことにより、あるいは、前記一方の押し釦とキーボード装置１０３のいずれかのキーを同時に所定の時間の間だけ押し続けることでスクロールモードに設定される。または、右押し釦１０４と左押し釦１０５の双方の押し釦と、キーボード装置１０３のいずれかのキーを同時に押すことにより、あるいは、前記双方の押し釦とキーボード装置１０３のいずれかのキーを同時に所定の時間の間だけ押し続けることでスクロールモードに設定される。
【００３５】
（４）パッド型入力装置２０の操作面２０ａの任意の位置をタップ操作し、このタップ操作の直後に操作面２０ａに接触した指を離すことなくスライドさせることにより、そのスライド操作によりスクロール信号が生成される。このような操作は「１タップ半操作」と呼ばれる。
【００３６】
前記操作が行われ、スクロールモードが設定されると、図６のＳ２に示すように、操作面２０ａの操作領域が複数の検出領域に区分される。すなわち、データ処理部７では、操作面２０ａ上での操作位置を、Ｘ−Ｙ座標に基づいて複数の検出領域に区分して認識するようになる。図３は、操作面２０ａにおける検出領域の区分例を示している。図３では、検出領域が縦横に升目状に多数に区分された状態を示している。
【００３７】
図３に示す例では、Ｓ２の処理動作において、操作面２０ａと表示部１６の画面を対応させ、画面のＸ方向（横方向）とＹ方向（縦方向）に対応する向きに検出領域が配列するように、この検出領域が区分されている。
【００３８】
図６のＳ３の処理では、前記検出領域が区分された後に、操作面２０ａに指など（以下では単に指とする）が接触しているか否かを検出する。ここで、Ｓ１での設定の際に説明した所定の操作（４）のように、指でタップ操作し、その直後に操作面２０ａ上で指をスライドさせたときには、そのスライド操作の開始時点において、Ｓ３において指が操作面に触れていると判断される。
【００３９】
Ｓ３において、操作面２０ａに指が接触したと判断すると、データ処理部７では、Ｓ４において、最初に指が接触している検出領域を基準検出領域Ｔ０と認識する。図３では、操作面２０ａにおいて最初に指が接触した検出領域を「×」で示している。図４は、前記「×」の検出領域およびその周辺の検出領域を拡大して示している。Ｓ４では、「×」で示す検出領域を基準検出領域Ｔ０として認識する。
【００４０】
Ｓ５では、データ処理部７において、指が基準検出領域Ｔ０に接触し続けているか否かを判断し、指が離れた場合にはＳ９の処理に移行してスクロール処理動作を行わない。Ｓ５において指が操作面２０ａに接触し続けていると判断されたときには、Ｓ６の処理に移行して、指の接触位置が基準検出領域Ｔ０から移動したか否かを判断する。ここで、指が基準検出領域Ｔ０から、図４に示す、その右隣りの検出領域Ｔ１に移動したと判断すると、Ｓ７の処理に移行し、データ処理部７では、横右方向へのスクロール信号が生成されて、このスクロール信号が操作信号として本体制御部３０の制御部１５に送られる。
【００４１】
データ処理部７からスクロール信号が出されることにより、表示部１６の画面に表示されている文字列や画像などの情報が、指が基準検出領域Ｔ０からＴ１へ移動した距離に対応する所定距離だけスクロールさせられる。
【００４２】
次に、Ｓ８の処理に移行し、指が移動した検出領域Ｔ１が、新たな基準検出領域Ｔ０として認識される。すなわち、基準検出領域が図４のＴ０からＴ１の位置へ移動する。そして、Ｓ５の処理に戻り、指が操作面２０ａに接触し続けていると認識されたときに、さらにＳ６の処理において、新たな基準検出領域Ｔ０（図４の検出領域Ｔ１）から指が移動したか否かを検出する。
【００４３】
ここで、指が操作面２０ａから離れることなくさらに横右に隣接する検出領域Ｔ１１に移動したと判断されると、Ｓ７の処理において、データ処理部７から制御部１５にさらにスクロール信号が与えられ、表示部１６の画面に表示されている情報が、指が領域Ｔ１からＴ１１に移動したのに相当する距離だけ横右方向へスクロールさせられる。そして、今度は検出領域Ｔ１１が、新たな基準検出領域Ｔ０として認識される。
【００４４】
指を右方向へスライドさせて、前記動作を繰り返すと、表示部１６の画面に表示されている情報が、図５に示す右方向へ連続してスクロールしていくようになる。そして、指を操作面２０ａから離した瞬間に、Ｓ５の処理において指の接触が解除されたと認識し、Ｓ９の処理に移行してスクロール操作を終了する。
【００４５】
また、図４において、最初に指が接触している基準検出領域Ｔ０から、指の接触位置がＴ２，Ｔ１２のように左側へ変化していくと、図５に示す画面の表示情報が左方向へスクロールする。また、基準検出領域Ｔ０から指の接触位置がＴ３，Ｔ１３の順に移動していくと画面の表示情報が上方向へスクロールし、基準検出領域Ｔ０から指の接触位置がＴ４，Ｔ１４の順に移動していくと画面の表示情報が下方向へスクロールする。
【００４６】
さらに、基準検出領域Ｔ０から指の接触位置がＴ７，Ｔ１７の順に移動していくと画面の表示情報が右上方向へスクロールし、基準検出領域Ｔ０から指の接触位置がＴ８，Ｔ１８の順に移動していくと画面の表示情報が左下方向へスクロールする。また、基準検出領域Ｔ０から指の接触位置がＴ６，Ｔ１６の順に移動していくと画面の表示情報が左上方向へスクロールし、基準検出領域Ｔ０から指の接触位置がＴ５，Ｔ１５の順に移動していくと画面の表示情報が右下方向へスクロールする。
【００４７】
そして、所定のスクロール操作を行った後に、スクロール操作の解除を行うと、スクロールモードが解除され、操作面２０ａはスクロール操作以外の通常の操作入力部として使用される。この解除操作を前記操作（１）、（２）、（３）、（４）に対応させると、以下の通りになる。
【００４８】
（５）前記操作（１）に基づいてスクロールモードが設定されたときには、パッド型入力装置２０の操作面２０ａの所定の領域をタップ操作またはダブルタップ操作することでスクロールモードが解除される。
【００４９】
（６）前記操作（２）に基づいてスクロールモードが設定されたときには、キーボード装置１０３のいずれかのキーをもう一度押すことによりスクロールモードが解除される。あるいは、キーボード装置１０３のいずれかのキーを押し続けることでスクロールモードに設定された場合には、キーの押圧を解除することでスクロールモードが解除される。
【００５０】
（７）前記操作（３）に基づいてスクロールモードが設定されたときには、右押し釦１０４または左押し釦１０５をもう一度押すことによりスクロールモードが解除される。あるいは、右押し釦１０４または左押し釦１０５のいずれかを押し続けることでスクロールモードに設定された場合には、右押し釦１０４または左押し釦１０５の押圧を解除することで、スクロールモードが解除される。または、右押し釦１０４と左押し釦１０５を同時に押すことによりスクロールモードに設定された場合には、右押し釦１０４と左押し釦１０５をもう一度同時に押すことによりスクロールモードが解除される。あるいは、右押し釦１０４と左押し釦１０５を同時に所定の時間の間だけ押し続けることでスクロールモードに設定された場合には、右押し釦１０４と左押し釦１０５の双方への押圧を解除することで、スクロールモードが解除される。
【００５１】
さらに、右押し釦１０４と左押し釦１０５のうちのどちらか一方の押し釦と、キーボード装置１０３のいずれかのキーを同時に押すことによりスクロールモードに設定された場合には、スクロールモードに設定するときに押した、前記一方の押し釦とキーボード装置１０３のいずれかのキーを、もう一度同時に押すことによりスクロールモードが解除される。あるいは、右押し釦１０４と左押し釦１０５のうちのどちらか一方の押し釦と、キーボード装置１０３のいずれかのキーを同時に所定の時間の間だけ押し続けることでスクロールモードに設定された場合には、前記一方の押し釦とキーボード装置１０３のいずれかのキーの双方への押圧を解除することで、スクロールモードが解除される。または、右押し釦１０４と左押し釦１０５の双方の押し釦と、キーボード装置１０３のいずれかのキーを同時に押すことによりスクロールモードに設定された場合には、右押し釦１０４と左押し釦１０５の双方の押し釦と、スクロールモードに設定するときに押した、キーボード装置１０３のいずれかのキーを、もう一度同時に押すことによりスクロールモードが解除される。あるいは、右押し釦１０４と左押し釦１０５の双方の押し釦とキーボード装置１０３のいずれかのキーを同時に所定の時間の間だけ押し続けることでスクロールモードに設定された場合には、右押し釦１０４と左押し釦１０５の双方の押し釦とキーボード装置１０３のいずれかのキーの双方への押圧を解除することで、スクロールモードが解除される。
【００５２】
（８）前記操作（４）でスクロールモードが設定されたときは、操作面２０ａから指を離すことで、スクロールモードが解除される。
【００５３】
なお、Ｓ８の処理において、データ処理部７から本体制御部３０の制御部１５にスクロール信号が与えられると、制御部１５では、前記スクロール信号を、例えばマウスと称される外部入力装置が使用されているときの、このマウスに設けられた回転スイッチが所定角度回されたときの操作信号と同等の信号として認識し、この操作信号に基づいて、表示部１６の画面に表示された情報をスクロールさせる処理が行われる。
【００５４】
なお、前記スクロールモードでは、例えば指を図４の基準検出領域Ｔ０からＴ１，Ｔ１１，・・・と移動させるにしたがって、データ処理部７から制御部１５にスクロール信号が間欠的に送られ、その結果、指がスライドしている限りにおいては、画面において表示情報が連続してスクロールしていく。この方式では、スライドさせた指の方向を、例えば右方向とし、途中から上方向へ連続して変化させると、画面の表示情報は、途中まで右方向へスクロールし、途中から上方向にスクロールするように変化させることができる。これは他の方向の組み合わせにおいても同じである。
【００５５】
また、本発明は前記スクロールモード以外の設定も可能である。
例えば、操作面２０ａを区分するときに、図４に示すようなＴ０，Ｔ１，Ｔ２，Ｔ３，Ｔ４，Ｔ５，Ｔ６，Ｔ７，Ｔ８，・・・区分のそれぞれの検出領域をやや大きめに設定しておく。
【００５６】
そして、所定の操作によりスクロールモードが設定されたときに、最初に指を接触させたいずれかの検出領域を基準検出領域Ｔ０と認識し、そのまま指を離すことなく、例えば右隣の検出領域Ｔ１またはＴ１１あるいはさらにその右隣の検出領域に指を移動させると、データ処理部７では、制御部１５に対して右方向へのスクロール信号を連続して出力する。そして、指を検出領域Ｔ１またはＴ１１あるいはさらにその右隣の検出領域に接触させ続けている限り、前記スクロール信号が出力され続けるものであってよい。この場合、指を検出領域Ｔ１またはＴ１１上で動かすことなく、接触させ続けている限りは、右方向へのスクロールが連続し、指を離したときにスクロールモードが解除される。
これは、上下方向のスクロールや斜め上下方向へのスクロールにおいても同じとする。
【００５７】
上記スクロール処理では、スクロールモードが設定されているときに、操作面２０ａのいずれかの個所に指を接触させ、その位置から指を短い距離移動させるだけで、指が接触している限りスクロールが継続するようになる。
【００５８】
さらに、他のスクロールモードとしては、最初に指を触れた検出領域を基準検出領域Ｔ０とし、その位置から指を右にずらして、検出領域Ｔ１に指を移動させてその指を接触し続けると、画面の情報が右方向へ遅い速度でスクロールし、さらに指を右方向へずらして他の検出領域であるＴ１１に指を移動させると、指が接触している限り、前記速度よりも早い速度で画面の情報が右方向へスクロールするように構成することもできる。これは他の方向においても同じである。
【００５９】
このように、スクロールモードを設定すると、操作面２０ａのどの位置に指を触れても、最初に指を触れた位置を基準として、その後の指の移動方向にしたがって、表示画面の表示情報をスクロールできるようになる。
【図面の簡単な説明】
【００６０】
【図１】本発明の入力装置が搭載されたノート型パーソナルコンピュータを示す斜視図、
【図２】入力装置の回路ブロック図、
【図３】操作面での検出領域の区分の一例を示す平面図、
【図４】図３の検出領域の区分を示す操作面の部分拡大図、
【図５】画面の表示情報のスクロール動作を示す説明図、
【図６】スクロール処理の一例を示すフローチャート
【符号の説明】
【００６１】
１  センサ基板
７  データ処理部
１５  制御部
１６  表示部
２０  パッド型入力装置
２０ａ  操作面
３０  本体制御部
１００  ノート型パーソナルコンピュータ
Ｔ０  基準検出領域
【図１】
2006163553.tif 000003
【図２】
2006163553.tif 000004
【図３】
2006163553.tif 000005
【図４】
2006163553.tif 000006
【図５】
2006163553.tif 000007
【図６】
2006163553.tif 000008